(57)【要約】【目的】  本発明は、鞘が刃物の刃から不用意に脱落するのを防止する鞘用抜け止め具を得る。【構成】  鞘用抜け止め具１００は、キャップ部１１０と、伸縮ベルト１２０とを備えている。キャップ部１１０は、刃物１０の刃１１を収容した鞘２０に、Ｙ方向側から被せられる。伸縮ベルト１２０は、平面視において略Ｕ字状であって、キャップ部１１０からＹ’方向に延びており、且つ伸張状態でＹ’方向側から刃物１０の被係合部１３に引っ掛けられる。【選択図】      図１
2019037636.tif 000002
【特許請求の範囲】
【請求項１】
刃物の刃を収容した鞘に、当該鞘の前記刃物の前記刃に対する脱方向側から被せられるキャップ部と、
前記キャップ部から前記脱方向の反対方向に延びており且つ伸張状態で前記反対方向側から前記刃物の被係合部に引っ掛けられる伸縮ベルトとを備えている鞘用抜け止め具。
【請求項２】
請求項１記載の鞘用抜け止め具において、
前記伸縮ベルトは、略Ｕ字状であって、前記反対方向側から前記刃物の被係合部に引っ掛けられる略Ｕ字状の自由端部を有している鞘用抜け止め具。
【請求項３】
請求項１記載の鞘用抜け止め具において、
前記伸縮ベルトは、前記被係合部が挿入され、引っ掛けられる環状の自由端部を有している鞘用抜け止め具。
【請求項４】
請求項２または３記載の鞘用抜け止め具において、
前記自由端部から前記被係合部に沿うように延びたタブをさらに備えており、
前記自由端部が前記被係合部に引っ掛けられた状態で、前記タブの先端部が、前記被係合部の端部よりも突出する鞘用抜け止め具。
【請求項５】
請求項１〜４の何れかに記載の鞘用抜け止め具において、
前記伸縮ベルトおよび前記キャップ部が弾性体で一体的に構成されている鞘用抜け止め具。
【発明の詳細な説明】
【技術分野】
【０００１】
本発明は、鞘用抜け止め具に関する。
【背景技術】
【０００２】
下記特許文献１には、従来の鞘が記載されている。この鞘は、鞘本体と、ベルトと、一対のスナップボタンとを備えている。鞘本体にはナイフなどの刃物が収容される。ベルトの固定端が鞘本体に固定されている。スナップボタンの一方は、止めベルトの自由端に設けられており、他方が鞘本体の固定端が固定された反対側の部分に設けられている。鞘本体内に刃物の刃が収容された状態で、当該刃物の柄にベルトが引っ掛けられる。この状態で、スナップボタン同士が留めることによって、刃物の刃が鞘本体から不用意に抜けることが防止されている。
【先行技術文献】
【特許文献】
【０００３】
【特許文献１】実公昭５３−１１２９６号公報
【発明の概要】
【発明が解決しようとする課題】
【０００４】
ベルトに対して外部から衝撃が加わることにより、一対のスナップボタンが不用意に外れ、ベルトが刃物の柄から外れる可能性がある。ベルトが刃物の柄から外れると、鞘が刃物の刃から脱落する可能性が生じる
【０００５】
本発明は、鞘が刃物の刃から不用意に脱落するのを防止する鞘用抜け止め具を提供することにある。
【課題を解決するための手段】
【０００６】
上記課題を解決するために、本発明の一態様の鞘用抜け止め具は、キャップ部と、伸縮ベルトとを備えている。キャップ部は、刃物の刃を収容した鞘に、当該鞘の刃物の刃に対する脱方向側から被せられる。伸縮ベルトは、キャップ部から脱方向の反対方向に延びており、且つ伸張状態で反対方向側から刃物の被係合部に引っ掛けられる。このような態様の鞘用抜け止め具による場合、キャップ部が鞘に脱方向側から被せられ、伸縮ベルトが、反対向側から刃物の被係合部に伸張状態で引っ掛けられるので、伸縮ベルトの復元力によって鞘が刃物の刃から脱落することを防止できる。
【０００７】
伸縮ベルトは、略Ｕ字状であって、反対方向側から刃物の被係合部に引っ掛けられる略Ｕ字状の自由端部を有する構成とすることが可能である。このような態様の鞘用抜け止め具による場合、略Ｕ字状の自由端部が刃物の被係合部に引っ掛けられるので、伸縮ベルトを刃物に引っ掛けやすくなる。
【０００８】
または、伸縮ベルトは、被係合部が挿入され、引っ掛けられる環状の自由端部を有する構成とすることが可能である。このような態様の鞘用抜け止め具による場合、環状の自由端部が刃物の被係合部に引っ掛けられるので、伸縮ベルトを刃物に引っ掛けやすくなる。
【０００９】
上記した何れかの態様の鞘用抜け止め具は、自由端部から被係合部に沿うように延びたタブをさらに備えていても良い。自由端部が被係合部に引っ掛けられた状態で、タブの先端部が、被係合部の端部よりも突出するようになっていると良い。このような態様の鞘用抜け止め具による場合、自由端部が被係合部に引っ掛けられた状態で、タブの先端部を把持して突出側へ引っ張るだけで、自由端部を被係合部から取り外すことができる。
【００１０】
伸縮ベルトおよびキャップ部が、弾性体で一体的に構成されていても良い。このような態様の鞘用抜け止め具は、その部品点数を低減できる。
【図面の簡単な説明】
【００１１】
【図１】本発明の実施例１に係る鞘用抜け止め具、鞘および刃物を組み合わせた状態の概略的斜視図である。
【図２】前記鞘用抜け止め具、鞘および刃物を分離した状態の概略的斜視図である。
【図３】本発明の実施例２に係る鞘用抜け止め具の概略的斜視図である。
【発明を実施するための形態】
【００１２】
以下、本発明の実施例について説明する。
【実施例１】
【００１３】
以下、本発明の実施例１を含む複数の実施例に係る鞘用抜け止め具１００について図１および図２を参照しつつ説明する。鞘用抜け止め具１００は、刃物１０の刃１１が鞘２０に収容された状態で、刃物１０および鞘２０に取り付けられるものである。以下、刃物１０、鞘２０および鞘用抜け止め具１００について詳しく説明する。なお、図１および図２に示すＹ−Ｙ’方向は、鞘２０の刃物１０の刃１１に対する挿脱方向に相当し、Ｙ−Ｙ’方向のうちのＹ方向は鞘２０の刃物１０の刃１１に対する脱方向に相当し、Ｙ’方向は脱方向の反対方向（挿入方向）に相当する。図１および図２に示すＺ−Ｚ’方向は、Ｙ−Ｙ’方向に直交する方向であり、Ｘ−Ｘ’方向は、Ｙ−Ｙ’方向およびＺ−Ｚ’方向に直交する方向である。なお、Ｚ−Ｚ’方向は、直交している必要はなく、Ｙ−Ｙ’方向に交差していれば良い。
【００１４】
刃物１０は、包丁（図１および図２参照）、ナイフ、メス、剃刀、鉈、鎌または斧などであって、刃１１と、柄１２とを有している。刃１１は、Ｙ−Ｙ’方向に延びている。刃１１は、先端部と、後端部とを有している。柄１２は、刃１１の後端部からＹ−Ｙ’方向に延びていても良いし（図１および図２参照）、Ｚ−Ｚ’方向に延びていても良いし、Ｙ−Ｙ’方向およびＺ−Ｚ’方向の成分を含む斜め方向に延びていても良い。
【００１５】
刃物１０は、被係合部１３をさらに有している。被係合部１３は、刃物１０の任意の箇所とすることができる。例えば、被係合部１３は、以下の１）〜４）の何れかの構成とすることが可能である。
１）被係合部１３は、刃物１０の柄１２からＺ方向またはＺ’方向（図１および図２参照）に延びた突起である。
２）被係合部１３は、刃物１０の刃１１からＺ方向またはＺ’方向に延びた突起である。
３）被係合部１３は、柄１２のＹ’方向の端部である。
４）被係合部１３は、刃１１のＹ’方向の端部（後端部）である。この場合、刃１１の被係合部１３（Ｙ’方向の端部）のＺ方向側またはＺ’方向に柄１２が存在する。
【００１６】
鞘２０は、刃物１０の刃１１を収容し保護する有底の筒状であって、Ｙ’方向に開口している。鞘２０の内形は、刃物１０の刃１１の外形に対応している。鞘２０を刃物１０に対してＹ’方向に相対的に移動させることによって、刃物１０の刃１１が開口から鞘２０内に挿入され、収容される。この収容状態において、鞘２０を刃物１０の刃１１に対してＹ方向に相対的に移動させることによって、刃物１０の刃１１が鞘２０から取り外される。
【００１７】
鞘用抜け止め具１００はキャップ部１１０を備えている。キャップ部１１０は、ゴムなどの弾性体、プラスチックなどの樹脂体、革または布などで構成されている。キャップ部１１０は、ａ）Ｙ’方向側の開口を有する有底の筒状（図１および図２参照）、または、ｂ）Ｙ方向側の開口およびＹ’側方向の開口を有する筒状である。何れの場合も、Ｙ’方向側の開口が鞘２０の挿入口となる。
【００１８】
上記ａ）の場合、キャップ部１１０の内形は、図１および図２に示されるように、少なくとも鞘２０の先端部（Ｙ方向の端部）の外形に対応しており、キャップ部１１０が少なくとも鞘２０の先端部にＹ方向側から被せられるようになっている。なお、キャップ部１１０の内形は、鞘２０全体の外形に対応しており、キャップ部１１０が鞘２０全体にＹ方向側から被せられるように設計変更しても良い。
【００１９】
上記ｂ）の場合、キャップ部１１０の内形は、鞘２０の先端部よりもＹ’方向の部分の外形に対応しており、キャップ部１１０が鞘２０の先端部よりもＹ’方向の部分にＹ方向側から被せられるようになっている。
【００２０】
鞘用抜け止め具１００は、キャップ部１１０からＹ’方向に延びた伸縮ベルト１２０をさらに備えている。伸縮ベルト１２０は、平面視（Ｚ方向側から見て）において略Ｕ字状とすることが可能である。この伸縮ベルト１２０は、一対の固定端１２１と、略Ｕ字状の自由端部１２２とを有している。
【００２１】
キャップ部１１０がゴムなどの弾性体で構成されている場合、伸縮ベルト１２０は、キャップ部１１０と同じ弾性体でキャップ部１１０と一体的に構成されていても良い。この場合、一対の固定端１２１の一方は、キャップ部１１０のＹ’方向側の開口の周縁部のＸ方向側の部分に一体的に連接され、他方はキャップ部１１０のＹ’方向側の開口の周縁部のＸ’方向側の部分に一体的に連接されている。
伸縮ベルト１２０は、キャップ部１１０と別に、ゴムなどの弾性体で構成されていても良い。この場合、一対の固定端１２１の一方は、キャップ部１１０のＹ’方向側の開口の周縁部のＸ方向側の部分に周知の固定手段で固定され、他方はキャップ部１１０のＹ’方向側の開口の周縁部のＸ’方向側の部分に周知の固定手段で固定されている。周知の固定手段としては、例えば、係合、縫い付け、接着、溶着、熱圧着またはピン止めなどであるが、これらに限定されるものではない。
【００２２】
自由端部１２２は、刃物１０の上記した何れかの態様の被係合部１３にＹ’方向側から引っ掛けられるようになっている。自由端部１２２が被係合部１３に引っ掛けられた状態で、伸縮ベルト１２０がＹ−Ｙ’方向において伸張する。伸縮ベルト１２０の伸張状態（図１参照）から初期状態（図２参照）へ復元しようとする力（復元力）によって、自由端部１２２が被係合部１３をＹ方向に付勢すると共に、キャップ部１１０が鞘２０をＹ’方向に付勢する。
【００２３】
鞘用抜け止め具１００はタブ１３０をさらに備えていても良い。刃物１０の被係合部１３がＺ方向に延びた突起である場合、タブ１３０は、自由端部１２２から被係合部１３に沿うようにＺ方向に延びている。刃物１０の被係合部１３がＺ’方向に延びた突起である場合、タブ１３０は、自由端部１２２から被係合部１３に沿うようにＺ’方向に延びている。被係合部１３が柄１２のＹ’方向の端部である場合、タブ１３０は、自由端部１２２から被係合部１３に沿うようにＺ方向またはＺ’方向に延びている。被係合部１３が刃１１のＹ’方向の端部である場合、タブ１３０は、自由端部１２２から被係合部１３に沿うようにＺ方向またはＺ’方向に延びている。何れの態様の場合も、自由端部１２２が被係合部１３に引っ掛けられた状態で、タブ１３０の先端部が被係合部１３の端部よりもＺ方向またはＺ’方向に突出するようになっていると良い。このタブ１３０の先端部をＺ方向またはＺ’方向に引っ張ることで、自由端部１２２を被係合部１３から簡単に取り外すことができる。
【００２４】
以下、鞘用抜け止め具１００の使用方法について詳しく説明する。まず、刃物１０および鞘２０を用意する。刃物１０の刃１１を鞘２０内にＹ’方向側から挿入し、収容させる。その後、鞘用抜け止め具１００を用意する。鞘用抜け止め具１００のキャップ部１１０内にＹ’方向側から鞘２０を挿入し、収容させる。その後、鞘用抜け止め具１００の伸縮ベルト１２０の自由端部１２２を把持して伸縮ベルト１２０をＹ−Ｙ’方向において伸張させる。この伸張状態で、自由端部１２２を、刃物１０の被係合部１３にＹ’方向側から引っ掛ける。これにより、伸縮ベルト１２０の復元力によって、キャップ部１１０が鞘２０をＹ方向側から付勢し、伸縮ベルト１２０の自由端部１２２が刃物１０の被係合部１３をＹ’方向側から付勢する。換言すると、刃物１０および鞘２０が自由端部１２２とキャップ部１１０との間で弾性的に挟持される。
【００２５】
刃物１０および鞘２０を鞘用抜け止め具１００から取り外すときには、自由端部１２２にタブ１３０が設けられている場合、タブ１３０を把持してＺ方向またはＺ’方向に引っ張ることで、自由端部１２２が被係合部１３から取り外される。自由端部１２２にタブ１３０が設けられていない場合、自由端部１２２を把持してＺ方向またはＺ’方向に引っ張ることで、自由端部１２２が被係合部１３から取り外される。これにより、伸縮ベルト１２０が初期状態に復元する。その後、キャップ部１１０を鞘２０に対してＹ方向に相対的に移動させる。このようにして刃物１０および鞘２０が鞘用抜け止め具１００から取り外される。
【００２６】
以上のような鞘用抜け止め具１００による場合、上記のとおり、刃物１０および鞘２０が自由端部１２２とキャップ部１１０との間で弾性的に挟持されるので、鞘２０が刃物１０の刃１１から脱落することを防止できる。
【００２７】
しかも、自由端部１２２が略Ｕ字状であるので、刃物１０の被係合部１３に引っ掛けやすく、取り外しやすい。自由端部１２２にタブ１３０が設けられている場合には、タブ１３０を引っ張ることで、自由端部１２２を刃物１０の被係合部１３から簡単に取り外すことができる。
【００２８】
キャップ部１１０および伸縮ベルト１２０が弾性体で一体的に構成されている場合、キャップ部１１０および伸縮ベルト１２０が別体である場合に比べて、鞘用抜け止め具１００の部品点数の低減を図ることができる。
【実施例２】
【００２９】
以下、本発明の実施例２を含む複数の実施例に係る鞘用抜け止め具１００’について図３を参照しつつ説明する。鞘用抜け止め具１００’は、伸縮ベルト１２０’の構成が鞘用抜け止め具１００の伸縮ベルト１２０の構成と相違する以外、鞘用抜け止め具１００とほぼ同じ構成である。以下、その相違点についてのみ詳しく説明し、鞘用抜け止め具１００と重複する説明は省略する。なお、図３にも、図１と同様に、Ｙ−Ｙ’方向、Ｚ−Ｚ’方向およびＸ−Ｘ’方向が示されている。ここでも、Ｚ−Ｚ’方向は、Ｙ−Ｙ’方向に対して交差していれば良い。
【００３０】
伸縮ベルト１２０’は、キャップ部１１０からＹ’方向に延びている。この伸縮ベルト１２０’は、固定端１２１’と、自由端部１２２’とを有している。
【００３１】
キャップ部１１０がゴムなどの弾性体で構成されている場合、伸縮ベルト１２０’は、キャップ部１１０と同じ弾性体でキャップ部１１０と一体的に構成されていても良い。この場合、固定端１２１’は、キャップ部１１０のＹ’方向側の開口の縁部に一体的に連接されていると良い。この固定端１２１’の固定位置は、キャップ部１１０のＹ’方向側の開口の周縁部である限り任意に設定できる。図３では、固定端１２１’は、キャップ部１１０のＹ’方向側の開口の周縁部のＸ方向側の部分に一体的に連接されているが、Ｘ’方向側の部分、Ｚ方向側の部分またはＺ方向側の部分に一体的に連接されていても良い。
伸縮ベルト１２０’は、キャップ部１１０と別に、ゴムなどの弾性体で構成されていても良い。この場合、固定端１２１’は、キャップ部１１０のＹ’方向側の開口の周縁部に上記周知の固定手段で固定されている。この固定端１２１’の固定位置も、上記と同様に、キャップ部１１０のＹ’方向側の開口の周縁部である限り任意に設定できる。
【００３２】
自由端部１２２’は、刃物１０の上記した突起である被係合部１３がＺ−Ｚ’方向において挿脱可能な環状体である。被係合部１３が自由端部１２２’内に挿入されることによって、自由端部１２２’が被係合部１３にＹ’方向側から引っ掛けられるようになっている。自由端部１２２’が被係合部１３に引っ掛けられた状態で、伸縮ベルト１２０’がＹ−Ｙ’方向において伸張する。伸縮ベルト１２０’の伸張状態（図１を借りて参照）から初期状態（図３参照）へ復元しようとする力（復元力）によって、自由端部１２２’が被係合部１３をＹ方向に付勢すると共に、キャップ部１１０が鞘２０をＹ’方向に付勢する。
【００３３】
自由端部１２２’には、自由端部１２２’からＺ方向またはＺ’方向に伸びる図示しないタブが設けられていても良い。このタブは、鞘用抜け止め具１００のタブ１３０と同様の構成とすることが可能である。
【００３４】
以下、鞘用抜け止め具１００’の使用方法について詳しく説明する。まず、刃物１０および鞘２０を用意する。刃物１０の刃１１を鞘２０内にＹ’方向側から挿入し、収容させる。その後、鞘用抜け止め具１００’を用意する。鞘用抜け止め具１００’のキャップ部１１０内にＹ’方向側から鞘２０を挿入し、収容させる。その後、鞘用抜け止め具１００’の伸縮ベルト１２０’の自由端部１２２’を把持して伸縮ベルト１２０’をＹ−Ｙ’方向において伸張させる。この伸張状態で、自由端部１２２’内に刃物１０の被係合部１３を挿入し、自由端部１２２’を被係合部１３にＹ’方向側から引っ掛ける。これにより、伸縮ベルト１２０’の復元力によって、キャップ部１１０が鞘２０をＹ方向側から付勢し、伸縮ベルト１２０’の自由端部１２２’が刃物１０の被係合部１３をＹ’方向側から付勢する。換言すると、刃物１０および鞘２０が自由端部１２２’とキャップ部１１０との間で弾性的に挟持される。
【００３５】
刃物１０および鞘２０を鞘用抜け止め具１００’から取り外すときには、自由端部１２２’にタブが設けられている場合、タブを把持してＺ方向またはＺ’方向に引っ張ることで、自由端部１２２’が被係合部１３から取り外される。自由端部１２２’にタブが設けられていない場合、自由端部１２２’を把持してＺ方向またはＺ’方向に引っ張ることで、自由端部１２２’が被係合部１３から取り外される。これにより、伸縮ベルト１２０’が初期状態に復元する。その後、キャップ部１１０を鞘２０に対してＹ方向に相対的に移動させる。このようにして刃物１０および鞘２０が鞘用抜け止め具１００’から取り外される。
【００３６】
以上のような鞘用抜け止め具１００’による場合、上記のとおり、刃物１０および鞘２０が自由端部１２２’とキャップ部１１０との間で弾性的に挟持されるので、鞘２０が刃物１０の刃１１から脱落することを防止できる。
【００３７】
しかも、自由端部１２２’が環状体であるので、刃物１０の被係合部１３に引っ掛けやすく、取り外しやすい。自由端部１２２’にタブが設けられている場合には、タブを引っ張ることで、自由端部１２２’を刃物１０の被係合部１３から簡単に取り外すことができる。
【００３８】
キャップ部１１０および伸縮ベルト１２０’が弾性体で一体的に構成されている場合、キャップ部１１０および伸縮ベルト１２０’が別体である場合に比べて、鞘用抜け止め具１００’の部品点数の低減を図ることができる。
【００３９】
なお、上記した鞘用抜け止め具は、上記実施例に限定されるものではなく、特許請求の範囲の記載範囲において任意に設計変更することが可能である。以下、詳しく述べる。
【００４０】
本発明の刃物は、鞘に収容される刃と、鞘用抜け止め具に引っ掛けられる被係合部を有している限りどのようなものであっても良い。例えば、本発明の刃物は、鋏であっても良い。鋏の場合、柄に代えて、ハンドルを有している。被係合部は、柄に代えて、ハンドルに設けられていても良い。被係合部は、鋏の刃に設けることも可能であることは言うまでもない。
【００４１】
本発明の伸縮ベルトは、キャップ部から脱方向の反対方向に延びており、且つ上記した何れかの態様のキャップ部が刃物の刃を収容した鞘に脱方向側から被せられた状態で、脱方向の反対方向側から刃物に伸張状態で引っ掛けられるものである限り任意に設計変更可能である。
【００４２】
なお、上記実施例の各態様及び設計変形例における鞘用抜け止め具の各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。
【符号の説明】
【００４３】
１０：刃物
１１：刃
１２：柄
１３：被係合部
２０：鞘
１００、１００’：鞘用抜け止め具
１１０：キャップ部
１２０、１２０’：伸縮ベルト
１２１、１２１’：固定端
１２２、１２２’：自由端部
１３０：タブ
【図１】
2019037636.tif 000003
【図２】
2019037636.tif 000004
【図３】
2019037636.tif 000005